(57)【要約】【課題】  簡易な方法で、浄化槽を大型化することなく、微生物処理が行えるとともに、浄化槽管理を簡素化、低コスト化することができ、人に優しく、自然にも歓迎される浄化槽用浮遊性竹炭顆粒を利用した微生物処理方法を提供する。【解決手段】  一定の乾燥期間を経て焼かれて得られた竹炭を粉砕して、１ｍｍ〜１０ｍｍ以下のものに篩い分けし、浮遊性のある竹炭顆粒１６を得、該竹炭顆粒１５の一定量を、浄化槽１の第１槽である沈殿分離室２の表面に満遍なく散布する。【選択図】      図１
2007160210.tif 000002
【特許請求の範囲】
【請求項１】
一定の乾燥期間を経て焼かれて得られた竹炭を粉砕して、粒径１ｍｍ〜１０ｍｍ以下のものに篩い分けし、浮遊性のある竹炭顆粒を得、
前記竹炭顆粒の一定量を、浄化槽の第１槽の表面に満遍なく散布する
ことを特徴とする浄化槽用浮遊性竹炭顆粒を利用した微生物処理方法。
【請求項２】
一定の乾燥期間を経て焼かれて得られた竹炭を粉砕して、粒径１ｍｍ〜１０ｍｍ以下のものに篩い分けし、浮遊性のある竹炭顆粒を得、
前記竹炭顆粒の一定量を、水溶性の布又は紙から成る袋状体に詰めて、浄化槽の第１槽の表面に安定的に浮遊させる
ことを特徴とする浄化槽用浮遊性竹炭顆粒を利用した微生物処理方法。
【請求項３】
一定の乾燥期間を経て焼かれて得られた竹炭を粉砕して、粒径１ｍｍ〜１０ｍｍ以下のものに篩い分けし、浮遊性のある竹炭顆粒を得、
前記竹炭顆粒の一定量を、浄化槽の第１槽の表面を覆うようにして浮遊せしめられた水溶性の紙の表面に満遍なく散布する
ことを特徴とする浄化槽用浮遊性竹炭顆粒を利用した微生物処理方法。
【発明の詳細な説明】
【技術分野】
【０００１】
本願の発明は、竹炭の特性である多孔性と吸着性とを有効に活用して、浄化槽内に毎年蔓延するチョウバエ、蛆虫等の微生物を幼虫の時期に撲滅して処理することを目的とした浄化槽用浮遊性竹炭顆粒を利用した微生物処理方法に関するものである。
【背景技術】
【０００２】
従来の浄化槽内のチョウバエ、蛆虫等微生物の駆除方法は、人体に有害な劇薬を吊るしたり、散布したりして行っているので、有効生物まで強制的に駆除してしまったり、自然環境の破壊につながりかねない虞が大きかった。
【０００３】
これに対して、近年、浄化槽内の微生物駆除方法として、竹炭を使用する方法が試みられている（特許文献１、２）。
竹炭は、多孔質の物質であり、その断面を見ると、１０００万分の１ｍｍ〜１０００分の１ｍｍの無数の管状の組織から構成されている。このため、浄化作用、吸着作用、消臭作用、保水作用、蓄熱作用等々の優れた特性を有している。このような竹炭を浄化装置に応用した場合、その多孔質の比較的大きい孔には糸状菌、中程度の孔には放線菌、最小の孔には細胞の隙間にバクテリアが各々分かれて生息しており、チョウバエは、蛆虫に成長する前の初期の幼虫の状態で、生物処理されてしまう。
【０００４】
言い換えると、特に４００°Ｃ以上で焼かれた竹炭は、ＰＨ７以上のアルカリ性であり、好気性菌には住みにくいが、実際には、吸着性に優れ、特に有機性の臭いや、汚物の分解を促す放線菌が繁殖するから、チョウバエの幼虫の餌を分解して、チョウバエの幼虫を死滅処理してしまう。言わば、兵糧攻めにするのである。
【０００５】
浮遊性の竹炭が何故適性であるかと言えば、初期の幼虫は、浮遊有機物（スカム）上から呼吸をする好気性虫であり、酸素の多い浮遊性の有機物を求めて行動するが、既に浮遊している竹炭に先住している放線菌の繁殖により、餌不足に陥り、成長を阻害され、死滅するか弱体化して、チョウバエは、繁殖すらできなくなるのである。
【０００６】
特許文献１に記載のものは、不等間隔に穴が開けられた穴あき竹炭筒を浄化槽の中に交互に積み重ね、できた穴あき竹炭筒装置の中に微生物を発生させて、効率的に多種類の排水、悪臭等を吸収、除去することとしている。また、特許文献２に記載のものは、同様の穴あき竹炭筒と竹炭粉砕炭とを浄化槽の中に適度な量で交互に組み合わせて入れ、内部に空気を通すパイプを数個所設置して、微生物を発生させ、排水、悪臭、不純物等を吸収、除去することとしている。
【０００７】
しかしながら、これらのものは、いずれも、穴あき竹炭筒もしくは穴あき竹炭筒と竹炭粉砕炭とを浄化槽の中に交互に積み重ねるか、適度な量で交互に組み合わせて入れるので、装置が大掛かりになり、浄化槽が必要以上に大型化する欠点がある。また、浮遊有機物（スカム）上に集合する性質のあるチョウバエの幼虫を効果的に死滅させる点で、なお十分なものとは言い難い。
【特許文献１】特開２０００−１４０５６７号公報
【特許文献２】実開平６−６４７９６号公報
【発明の開示】
【発明が解決しようとする課題】
【０００８】
本願の発明は、従来の浄化槽用竹炭を利用した微生物処理方法が有する前記のような問題点を解決して、簡易な方法で、浄化槽を大型化することなく、微生物処理が行えるとともに、浄化槽管理を簡素化、低コスト化することができ、人に優しく、自然にも歓迎される、浄化槽用浮遊性竹炭顆粒を利用した微生物処理方法を提供することを課題とする。
【課題を解決するための手段】
【０００９】
前記のような課題は、本願の各請求項に記載された次のような発明により解決される。  すなわち、その請求項１に記載された発明は、一定の乾燥期間を経て焼かれて得られた竹炭を粉砕して、粒径１ｍｍ〜１０ｍｍ以下のものに篩い分けし、浮遊性のある竹炭顆粒を得、前記竹炭顆粒の一定量を、浄化槽の第１槽の表面に満遍なく散布することを特徴とする浄化槽用浮遊性竹炭顆粒を利用した微生物処理方法である。
【００１０】
請求項１に記載された発明は、前記のように構成されているので、チョウバエの幼虫が浮遊有機物（スカム）上から呼吸をする好気性虫であるという性質を利用し、一定の乾燥期間を経て焼かれて得られた竹炭を粉砕して、粒径１ｍｍ〜１０ｍｍ以下のものに篩い分けし、得られた浮遊性のある竹炭顆粒の一定量を浄化槽の第１槽の表面に満遍なく散布するという簡便な方法により、その竹炭顆粒に放線菌を先住させて繁殖せしめ、チョウバエの幼虫の餌不足の状態を現出せしめて、その成長を阻害し、死滅させるか弱体化させて、チョウバエを、蛆虫に成長する前の初期の幼虫の状態で、生物処理することができる。
【００１１】
これにより、簡便な方法で、浄化槽を大型化することなく、浄化槽内に毎年蔓延するチョウバエ、蛆虫等の微生物の処理が行えるとともに、浄化槽管理を簡素化、低コスト化することができ、人に優しく、自然にも歓迎される、浄化槽用浮遊性竹炭顆粒を利用した微生物処理方法を提供することができる。
【００１２】
また、その請求項２に記載された発明は、一定の乾燥期間を経て焼かれて得られた竹炭を粉砕して、粒径１ｍｍ〜１０ｍｍ以下のものに篩い分けし、浮遊性のある竹炭顆粒を得、前記竹炭顆粒の一定量を、水溶性の布又は紙から成る袋状体に詰めて、浄化槽の第１槽の表面に安定的に浮遊させることを特徴とする浄化槽用浮遊性竹炭顆粒を利用した微生物処理方法である。
【００１３】
請求項２に記載された発明は、前記のように構成されているので、放線菌は、水溶性の布又は紙から成る袋状体の微細孔から袋内に侵入し、中に詰められている竹炭顆粒に吸着されて繁殖するから、この放線菌によりチョウバエの幼虫の餌が分解されて、チョウバエの幼虫の餌不足の状態が現出されることになり、本発明も、前記のような簡便な方法により、請求項１に記載された発明が奏する効果と同様の効果を奏することができる。また、竹炭顆粒は、袋状体に詰められるので、その取り扱いが容易になる。
【００１４】
また、その請求項３に記載された発明は、一定の乾燥期間を経て焼かれて得られた竹炭を粉砕して、粒径１ｍｍ〜１０ｍｍ以下のものに篩い分けし、浮遊性のある竹炭顆粒を得、前記竹炭顆粒の一定量を、浄化槽の第１槽の表面を覆うようにして浮遊せしめられた水溶性の紙の表面に満遍なく散布することを特徴とする浄化槽用浮遊性竹炭顆粒を利用した微生物処理方法である。
【００１５】
請求項３に記載された発明は、前記のように構成されているので、放線菌は、水溶性の紙の微細孔から浮上し、その紙の上に散布されている竹炭顆粒に吸着されて繁殖するから、この放線菌によりチョウバエの幼虫の餌が分解されて、チョウバエの幼虫の餌不足の状態が現出されることになり、本発明も、前記のような簡便な方法により、請求項１に記載された発明が奏する効果と同様の効果を奏することができる。
【発明の効果】
【００１６】
前記のとおり、本願の発明の浄化槽用浮遊性竹炭顆粒を利用した微生物処理方法によれば、チョウバエの幼虫が浮遊有機物（スカム）上から呼吸をする好気性虫であるという性質を利用し、一定の乾燥期間を経て焼かれて得られた竹炭を粉砕して、粒径１ｍｍ〜１０ｍｍ以下のものに篩い分けし、得られた浮遊性のある竹炭顆粒の一定量を浄化槽の第１槽の表面に満遍なく散布するか、得られた浮遊性のある竹炭顆粒の一定量を、水溶性の布又は紙から成る袋状体に詰めて、浄化槽の第１槽の表面に安定的に浮遊させるか、得られた浮遊性のある竹炭顆粒の一定量を、浄化槽の第１槽の表面を覆うようにして浮遊せしめられた水溶性の紙の表面に満遍なく散布するという簡便な方法により、その竹炭顆粒に放線菌を先住させて繁殖せしめ、チョウバエの幼虫の餌不足の状態を現出せしめて、その成長を阻害し、死滅させるか弱体化させて、チョウバエを、蛆虫に成長する前の初期の幼虫の状態で、生物処理することができる。
【００１７】
これにより、簡便な方法で、浄化槽を大型化することなく、浄化槽内に毎年蔓延するチョウバエ、蛆虫等の微生物の処理が行えるとともに、浄化槽管理を簡素化、低コスト化することができ、人に優しく、自然にも歓迎される、浄化槽用浮遊性竹炭顆粒を利用した微生物処理方法を提供することができる。
【発明を実施するための最良の形態】
【００１８】
浄化槽用浮遊性竹炭顆粒を利用した微生物処理方法が、  一定の乾燥期間を経て焼かれて得られた竹炭を粉砕して、粒径１ｍｍ〜１０ｍｍ以下のものに篩い分けし、浮遊性のある竹炭顆粒を得、このようにして得られた竹炭顆粒の一定量を、浄化槽の第１槽の表面に満遍なく散布する方法から成るものとする。
【実施例１】
【００１９】
次に、本願の発明の一実施例（実施例１）について説明する。
図１は、本実施例１の浄化槽用浮遊性竹炭顆粒を利用した微生物処理方法が適用された浄化槽の概略縦断面図である。
【００２０】
本実施例１の浄化槽用浮遊性竹炭顆粒を利用した微生物処理方法が適用された浄化槽１は、図１に図示されるように、あらまし、浄化槽１の第１槽をなす沈殿分離室２と、接触ばっ気室３と、沈殿室４と、消毒室５とが、曲流路により流体連通されて構成されている。沈殿分離室２の液面より上方の一側には、汚水流入管６が壁を貫通して設置されており、消毒室５の液面と同一高さ位置の一側には、浄化水流出管７が開口接続されている。また、接触ばっ気室３の沈殿分離室２寄りの底部には、空気噴出管８が敷設されており、浄化水が沈殿室４から消毒室５へと溢流して行く個所には、薬液筒９が設置されている。消毒室５は、沈殿室４の上方部位に、比較的小容量空間の室として区画形成されている。
【００２１】
そこで、今、汚水流入管６により送られてきた生活排水、下水等の汚水は、先ず、沈殿分離室２内に投入され、粗方、固形分とその他の流動成分とに分離される。固形分は、沈殿分離室２の底部に溜まって、汚泥１０となる。その他の流動成分のうち、浮遊有機物（スカム）１１は、液面上に浮上し、残された微細な固形分を含む流動成分は、曲流路１２を流れて、次槽の接触ばっ気室３に流入する。接触ばっ気室３に流入した流動成分は、送風機１３により圧送されて空気噴出管８に設けられた多数の噴出口より噴出する空気により誘導されて、一部は沈殿分離室２内へと復流しながら、接触ばっ気室３内に設置された多数の接触板１５から成るばっ気層中を循環流動し、その過程で、流動成分中に浮遊している嫌気性バクテリアが、これらの接触板１５に吸着されて除去される。この接触板１５は、Ｆ.Ｒ.Ｐもしくはプラスチック製であり、バクテリアが着生し易いように表面に凹凸形状等の粗面加工が施されるか、表面処理が施された特殊な板である。
【００２２】
次いで、流動成分は、次槽の沈殿室４に流入し、死滅した生物の死骸等をスラッジ１４として沈殿させて、その上澄み液が、最終槽である消毒室５へと溢流する。この過程で、この上澄み液は、薬液筒９から供給される塩素系殺菌剤により殺菌されて、綺麗な浄化水となり、浄化水流出管７内を流れて、図示されない排水溝へと排出される。
【００２３】
ここで、第１槽である沈殿分離室２の液面上に浮遊する浮遊有機物（スカム）１１の表面には、その上方から該表面を覆うようにして、竹炭顆粒１６の一定量がその表面に満遍なく散布される。この竹炭顆粒１６は、一定の乾燥期間、通常、６ヵ月〜１年を経て焼かれて得られた竹炭を粉砕して、粒径１ｍｍ〜１０ｍｍ以下のものに篩い分けし、浮遊性のある顆粒状にされたものである。出願人の実験によると、竹炭顆粒１６の散布時期は、１１月〜４月とするのが効果的であり、明らかな効果を上げている。但し、汲み取り作業をした場合には、再度、浮遊性竹炭顆粒１６を投入する必要がある。
【００２４】
このように、沈殿分離室２の液面上に浮遊する浮遊有機物（スカム）１１の表面に竹炭顆粒１６の一定量が満遍なく散布されることによって、好気性のチョウバエの幼虫が酸素の多い浮遊性の有機物を求めて浮遊有機物（スカム）１１上に浮上して来たとしても、そこに既に浮遊している竹炭顆粒１６に吸着されて先住している放線菌の繁殖により、チョウバエの幼虫の餌が分解されているので、チョウバエの幼虫は、餌不足に陥り、成長を阻害されて、死滅するか弱体化する。このようにして、チョウバエは繁殖しなくなり、チョウバエの発生が予防される。
【００２５】
本実施例１の浄化槽用浮遊性竹炭顆粒を利用した微生物処理方法は、前記のように構成されているので、次のような効果を奏することができる。
チョウバエの幼虫が浮遊有機物（スカム）１１上から呼吸をする好気性虫であるという性質を利用し、一定の乾燥期間を経て焼かれて得られた竹炭を粉砕して、粒径１ｍｍ〜１０ｍｍ以下のものに篩い分けし、得られた浮遊性のある竹炭顆粒１６の一定量を浄化槽１の第１槽である沈殿分離室２の表面に満遍なく散布するという簡便な方法により、その竹炭顆粒１６に放線菌を先住させて繁殖せしめ、チョウバエの幼虫の餌不足の状態を現出せしめて、その成長を阻害し、死滅させるか弱体化させて、チョウバエを、蛆虫に成長する前の初期の幼虫の状態で、生物処理することができる。
【００２６】
これにより、簡便な方法で、浄化槽１を大型化することなく、浄化槽１内に毎年蔓延するチョウバエ、蛆虫等の微生物の処理が行えるとともに、浄化槽管理を簡素化、低コスト化することができ、人に優しく、自然にも歓迎される、浄化槽用浮遊性竹炭顆粒を利用した微生物処理方法を提供することができる。
【００２７】
本出願人の実験データによると、平成１５年〜平成１６年まで３６９件の本願発明方法の実施実績、平成１６年〜平成１７年まで４１３件の本願発明方法の実施実績のうち、僅か２件の苦情しかなく、従前の苦情件数と比較すると、結果は歴然としていた。なお、苦情の内容から、竹炭顆粒１６の投入量と浄化槽１の容積比との関係、投入時期や汲み取り後の処置に問題があったことが分かり、解決に至った。
【実施例２】
【００２８】
次に、本願の発明の他の実施例（実施例２）について説明する。
本実施例２の浄化槽用浮遊性竹炭顆粒を利用した微生物処理方法は、実施例１のそれと比較すると、竹炭顆粒１６の一定量を浄化槽１の第１槽である沈殿分離室２の表面に満遍なく投入する仕方のみが異なっている。すなわち、実施例１においては、その投入の仕方が、竹炭顆粒１６の一定量を沈殿分離室２の表面に満遍なく散布するのであったのに対して、本実施例２においては、その投入の仕方が、竹炭顆粒１６の一定量を水溶性の布又は紙から成る袋状体に熱加工をして満遍なく行き届くように詰めて、沈殿分離室２の表面に安定的に浮遊させるという方法に依っているものである。
【００２９】
このようにしても、放線菌は、水溶性の布又は紙から成る袋状体の微細孔から袋内に侵入して、中に詰められている竹炭顆粒１６に吸着されて繁殖するから、この放線菌によりチョウバエの幼虫の餌が分解されて、チョウバエの幼虫の餌不足の状態が現出されるので、本実施例２も、実施例１と同様の効果を奏することができる。また、竹炭顆粒１６は、袋状体に詰められるので、その取り扱いが容易になる。
【実施例３】
【００３０】
次に、本願の発明のさらに他の実施例（実施例３）について説明する。
本実施例３の浄化槽用浮遊性竹炭顆粒を利用した微生物処理方法は、実施例１、２のそれらと比較すると、竹炭顆粒１６の一定量を浄化槽１の第１槽である沈殿分離室２の表面に満遍なく投入する仕方のみが異なっている。すなわち、実施例１、２においては、その投入の仕方が、竹炭顆粒１６の一定量を沈殿分離室２の表面に満遍なく散布するか、竹炭顆粒１６の一定量を水溶性の布又は紙から成る袋状体に詰めて、沈殿分離室２の表面に安定的に浮遊させるのであったのに対して、本実施例３においては、その投入の仕方が、竹炭顆粒１６の一定量を、浄化槽の第１槽の表面を覆うようにして浮遊せしめられた水溶性の紙の表面に満遍なく散布するという方法に依っているものである。
【００３１】
このようにしても、放線菌は、水溶性の紙の微細孔から浮上し、その紙の上に散布されている竹炭顆粒１６に吸着されて繁殖するから、この放線菌によりチョウバエの幼虫の餌が分解されて、チョウバエの幼虫の餌不足の状態が現出されるので、本実施例３も、前記のような簡便な方法により、実施例１、２と同様の効果を奏することができる。
【００３２】
なお、本願の発明は、以上の実施例に限定されず、その要旨を逸脱しない範囲において、種々の変形が可能である。
例えば、含有微生物処理の対象となる汚水は、生活排水、下水に限られず、ある種の産業排水であっても良く、この場合にも、所期の効果が得られるものである。
【図面の簡単な説明】
【００３３】
【図１】本願の発明の一実施例（実施例１）の浄化槽用浮遊性竹炭顆粒を利用した微生物処理方法が適用された浄化槽の概略縦断面図である。
【符号の説明】
【００３４】
１…浄化槽、２…沈殿分離室、３…接触ばっ気室、４…沈殿室、５…消毒室、６…汚水流入管、７…浄化水流出管、８…空気噴出管、９…薬液筒、１０…汚泥、１１…浮遊有機物（スカム）、１２…曲流路、１３…送風機、１４…スラッジ、１５…接触板、１６…竹炭顆粒。
【図１】
2007160210.tif 000003